(57)【要約】【課題】ベアディスクである第１のディスク状媒体と、カートリッジに収納されている第２のディスク状媒体とを、選択的に収納可能なケースを提供する。【解決手段】ベアディスクを保持可能なホルダーと、第１のカートリッジ５とを選択的に収納可能であるケースであって、ホルダー７または第１のカートリッジ５が選択的に収納される収納部を備えた本体３と、本体３に対して開閉自在であるとともに本体３に対して閉じた状態で収納部を覆うことができる蓋体２と、収納部に配され、互いの距離が、ホルダー７または第１のカートリッジ５における互いに対向する二辺間の距離と略同等かそれ以下である一対の係合部３２ａ〜３２ｄとを備え、係合部３２ａ〜３２ｄは、第１のカートリッジ５またはホルダー７の端部を保持可能な爪部が形成されている。【選択図】図１
2008037454.tif 000002
【特許請求の範囲】
【請求項１】
中心孔を備えたディスク状媒体を収納できる第１のカートリッジを収納可能なケースであって、
前記第１のカートリッジが収納される収納部を備えた本体と、
前記本体に対して開閉自在であるとともに、前記本体に対して閉じた状態で前記収納部を覆うことができる蓋体と、
前記収納部に配され、前記第１のカートリッジの第１の側面に当接する一対の第１の係合部と、
前記収納部に配され、前記第１のカートリッジの前記第１の側面に対向する第２の側面の両端を支持し、前記両端に沿って屈曲した一対の支持部とを備えたことを特徴とするケース。
【請求項２】
前記収納部には、中心孔を備えたディスク状媒体を収納でき、前記第１のカートリッジよりも幅方向の寸法が大きく、外形形状が前記第１のカートリッジと異なる第２のカートリッジを収納可能であり、
前記一対の第１の係合部それぞれの一部が、前記第２のカートリッジの外形を構成する凸形状に突出した突出外面に当接し、
前記第２のカートリッジを前記収納部に収納させた際に、前記第２のカートリッジにおける前記突出外面から連設する一対の側面に形成された凹部それぞれに嵌合する一対の突起部をさらに備える、請求項１記載のケース。
【請求項３】
前記収納部は、前記第１及び前記第２のカートリッジ何れにも収納されていない中心孔を有するディスク状媒体の前記中心孔に遊嵌保持する嵌合部を備えたホルダーを収納でき、
前記一対の第１の係合部が当接する前記ホルダーの外形を構成する一辺に対向する対向辺に当接する一対の第２の係合部をさらに備え、
前記一対の第１の係合部及び前記一対の第２の係合部それぞれは、前記ホルダーに収納した前記ディスク状媒体の情報面に直交する方向の前記ホルダーの厚みを規制する爪部を備える、請求項１記載のケース。
【請求項４】
前記一対の第１の係合部それぞれに備える一対の前記爪部は、前記第１のカートリッジ及び前記第２のカートリッジの厚みを規制する、請求項１〜３の何れかに記載のケース。
【請求項５】
前記ディスク状媒体を内蔵した前記第１のカートリッジは、
前記ディスク状媒体の情報面を露出可能な開口部と、
前記開口部を開閉可能なシャッターとを備え、
前記一対の第１の係合部の間隔は、前記シャッターの幅寸法よりも大きくなるように配置されている、請求項４記載のケース。
【請求項６】
前記第１のカートリッジに当接する、前記一対の第１の係合部は、前記シャッターが摺動する前記第１のカートリッジにおける摺動側面と当接し、前記摺動側面を挟持する一対の側面を位置決めする位置決め部をさらに備える、請求項５記載のケース。
【発明の詳細な説明】
【技術分野】
【０００１】
本発明は、ベアディスクや、ディスクが収納されているカートリッジを、選択的に収納可能なケースに関する。
【背景技術】
【０００２】
ＣＤ（コンパクトディスク）などのようなベアディスクは、ディスク１枚毎にプラスチック製のケースに収納されて取り扱われる。このようなベアディスクをディスクドライブに装着する際は、ケースから取り出し、ディスクドライブに装着して使用される（ケースの構成については、例えば特許文献１参照）。
【０００３】
また、一部のＤＶＤ−ＲＡＭディスクやブルーレイディスクには、ディスク状媒体をカートリッジに収納させて使用するものがある。このようにカートリッジに収納されているディスクは、カートリッジに収納されている状態で、ディスクドライブに装着されて使用される。このようなカートリッジを収納可能なケースについても、様々な構成が提案されている（例えば、特許文献２参照）。
【特許文献１】特開２０００−８５８７２号公報
【特許文献２】実開平６−１２８９号公報
【発明の開示】
【発明が解決しようとする課題】
【０００４】
しかしながら特許文献１に開示されているケースは、ベアディスクしか収納できず、特許文献２に開示されているケースはカートリッジしか収納できない。したがって、ディスク状媒体の種類毎に専用のケースを製作する必要があり、材料コストや製造コストを削減することができないという課題があった。
【０００５】
本発明は、上記課題に鑑み、ディスク状媒体と、ディスク状媒体を収納できるカートリッジとを、選択的に収納可能なケースを提供することを目的とする。
【課題を解決するための手段】
【０００６】
上記目的を達成するために本発明のケースは、中心孔を備えたディスク状媒体を収納できる第１のカートリッジを収納可能なケースであって、前記第１のカートリッジが収納される収納部を備えた本体と、前記本体に対して開閉自在であるとともに、前記本体に対して閉じた状態で前記収納部を覆うことができる蓋体と、前記収納部に配され、前記第１のカートリッジの第１の側面に当接する一対の第１の係合部と、前記収納部に配され、前記第１のカートリッジの前記第１の側面に対向する第２の側面の両端を支持し、前記両端に沿って屈曲した一対の支持部とを備えたものである。
【発明の効果】
【０００７】
本発明によれば、ベアディスクである第１のディスク状媒体と、カートリッジに収納されている第２のディスク状媒体とを、選択的に収納することができるため、材料コスト、製造コストを削減することができる。
【発明を実施するための最良の形態】
【０００８】
本発明のケースの収納部には、中心孔を備えたディスク状媒体を収納でき、前記第１のカートリッジよりも幅方向の寸法が大きく、外形形状が前記第１のカートリッジと異なる第２のカートリッジを収納可能であり、前記一対の第１の係合部それぞれの一部が、前記第２のカートリッジの外形を構成する凸状に突出した突出外面に当接し、前記第２のカートリッジを前記収納部に収納させた際に、前記第２のカートリッジにおける前記突出外面から連設する一対の側面に形成された凹部それぞれに化の具する一対の突起部をさらに備える構成とすることができる。
【０００９】
また、前記収納部は、前記第１及び前記第２のカートリッジ何れにも収納されていない中心孔を有するディスク状媒体の前記中心孔に遊嵌保持する嵌合部を備えたホルダーを収納でき、前記一対の第１の係合部が当接する前記ホルダーの外形を構成する一辺に対向する対向辺に当接する一対の第２の係合部をさらに備え、前記一対の第１の係合部及び前記一対の第２の係合部それぞれは、前記ホルダーに収納した前記ディスク状媒体の情報面に直交する方向の前記ホルダーの厚みを規制する爪部を備える構成とすることができる。この構成により、ホルダーまたはカートリッジをケース内に保持することができ、ホルダーまたはカートリッジを選択的に収納することができる。
【００１０】
また、前記一対の第１の係合部それぞれに備える一対の前記爪部は、前記第１のカートリッジ及び前記第２のカートリッジの厚みを規制する構成することができる。この構成により、ケース本体に備える収納部にホルダーを係止収納できるとともに、第１のカートリッジまたは第２のカートリッジをケース内に保持することができ、ホルダーまたはカートリッジを選択的に収納することができる。
【００１１】
また、前記ディスク状媒体を内蔵した前記第１のカートリッジは、前記ディスク状媒体の記録面を露出可能な開口部と、前記開口部を開閉可能なシャッターとを備え、前記一対の第１の係合部の間隔は、前記シャッターの幅寸法よりも大きくなるように配置されている構成とすることができる。この構成により、カートリッジをケース内に収納した状態で、カートリッジに配されているシャッターの変形などを防ぐことができる。
【００１２】
また、前記第１のカートリッジに当接する、前記一対の第１の係合部は、前記シャッターが摺動する第１のカートリッジにおける摺動側面と当接し、前記摺動側面を挟持する一対の側面を位置決めする位置決め部をさらに備える構成とすることができる。この構成により、第１のカートリッジをケース内に収納した際に確実に保持することができ、第１のカートリッジの保持性能を向上し収納することができる。
【００１３】
（実施の形態１）
〔１．ケースの構成〕
図１は、実施の形態１におけるディスク状媒体収納用のケースの外観を示す斜視図であり、開蓋状態を示している。図２はケースの閉蓋状態を示している。図３は、ケースの開蓋状態における平面図である。
【００１４】
図１〜図３において、ケース１は、第１のカートリッジ５、第２のカートリッジ６，ホルダー７を、それぞれ選択的に収納可能な容器である。ケース１は、蓋体２と本体３とヒンジ部４とから構成され、蓋体２と本体３とがヒンジ部４を介して開閉自在に連結されている。図１に示す開蓋状態から、蓋体２を矢印Ａ方向へ回動させることで、図２に示す閉蓋状態へ移行させることができる。また、蓋体２を、図２に示す閉蓋状態から矢印Ｂ方向へ回動させることで、図１に示す開蓋状態へ移行させることができる。
【００１５】
蓋体２は、略平板状の主面２２上の縁部に沿って、側壁２１が立設されている。側壁２１は、ケース１が図２に示す閉蓋状態に移行された時に、ケース１の側面周囲を覆うことで、ケース１内へ埃等が侵入するのを防いでいる。
【００１６】
本体３は、各種ディスク状媒体が収納される容器である。本体３には、収納部３１，係合部３２ａ，３２ｂ，３２ｃ，３２ｄ、位置決め部３３ａ，３３ｂ、位置決め部３４ａ，３４ｂ、ガイド部３５ａ，３５ｂ，３５ｃ，３５ｄ、傾斜部３６ａ及び３６ｂ、支持部３７ａ及び３７ｂ、突起部３８ａ及び３８ｂを備えている。
【００１７】
収納部３１は、ベアディスクやカートリッジが収納される空間であり、少なくともホルダー７（図１１参照）、第１のカートリッジ５（図４参照）、第２のカートリッジ６（図７参照）の容積以上の容積が確保されている。
【００１８】
係合部３２ａ及び３２ｂ（第１の係合部）は、収納部３１の一方の端部近傍に立設されている。また、係合部３２ａ及び３２ｂは、互いに所定の間隔をあけて設けられており、その間隔は少なくとも第１のカートリッジ５のシャッター５２の摺動方向における幅寸法よりも大きい。また、係合部３２ａ及び３２ｂは、収納部３１に第１のカートリッジ５を収納させた際、第１のカートリッジ５の第３の側面５３ｃに当接する。また、係合部３２ａ及び３２ｂの先端には、第１のカートリッジ５やホルダー７などを係合保持可能なように爪部３２ｅ及び３２ｆが形成されている。また、係合部３２ａ及び３２ｂは、第１のカートリッジ５やホルダー７などを保持させる際に、容易に係合させることができるように、弾性変形可能に形成されている。
【００１９】
係合部３２ｃ及び３２ｄ（第２の係合部）は、収納部３１の他端（前述の係合部３２ａ及び３２ｂ近傍の端部に対向する端部）近傍に立設されている。また、係合部３２ｃ及び３２ｄは、係合部３２ａ及び３２ｂに対して所定の間隔をあけて対向するように配され、その間隔は少なくともホルダー７を保持可能な寸法である。また、係合部３２ｃと係合部３２ｄとは、互いに所定の間隔をあけて設けられている。また、係合部３２ｃ及び３２ｄの先端には、ホルダー７を係合保持可能なように、爪部３２ｇ及び３２ｈが形成されている。また、係合部３２ｃ及び３２ｄは、ホルダー７を係合させる際に、容易に係合させることができるように、弾性変形可能（例えば図１３の矢印Ｆ方向）に形成されている。
【００２０】
なお、本実施の形態では、係合部３２ａと係合部３２ｂとを結ぶ線、または係合部３２ｃと係合部３２ｄとを結ぶ線が、ヒンジ部４に対して略直交するように、係合部３２ａ〜３２ｄを配置させているが、略平行になるように配置させてもよい。
【００２１】
爪部３２ｅ及び３２ｆは、第１のカートリッジ５，第２のカートリッジ６，またはホルダー７の端部に係合可能に形成されている。前述の端部に係合されることで、ディスクの情報面に直交する厚さ方向の位置規制を行うことができる。
【００２２】
爪部３２ｇ及び３２ｈは、ホルダー７の第２の支持部７６に係合可能に形成されている。第２の支持部７６に係合されることで、ディスクの情報面に直交する厚さ方向の位置規制を行うことができる。
【００２３】
位置決め部３３ａ及び３３ｂは、係合部３２ａ及び３２ｂの近傍に形成されている側壁に相当し、第１のカートリッジ５が収納部３１に収納された際に、第１のカートリッジ５の側面に当接されることで、第１のカートリッジ５を位置決めしている。
【００２４】
位置決め部３４ａ及び３４ｂは、位置決め部３３ａ及び３３ｂの近傍でかつホルダー７を収納部３１に収納した状態における第１の側面７４ａ及び７４ｂに略平行に形成され、収納部３１の側壁を構成する。位置決め部３４ａ及び３４ｂは、第２のカートリッジ６が収納部３１に収納された際に、第２のカートリッジ６の側面に当接されることで、第２のカートリッジ６を位置決めしている。なお、本実施の形態では、位置決め部３３ａと位置決め部３４ａとは、傾斜部３６ａを介して連続的に形成されているが、各々独立して形成されていてもよい。また、位置決め部３３ｂと位置決め部３４ｂとは、傾斜部３６ｂを介して連続的に形成されているが、各々独立して形成されていてもよい。
【００２５】
ガイド部３５ａ〜３５ｄは、第２のカートリッジ６をケース１に収納させる際に、使用者に対して第２のカートリッジ６の収納方向と収納位置とを案内するマークである。また、ガイド部３５ａ〜３５ｄは、収納部３１の底面に着色されて形成されていてもよいし、収納部３１の底面に対して凹状または凸状に形成されていてもよい。また、図３に示すようにガイド部３５ａ及び３５ｂは、第２のカートリッジ６の第３の側面６２ｃの外形に略一致するように、略円弧形状に形成されている。また、ガイド部３５ｃ及び３５ｄは、第２のカートリッジ６の第４の側面６２ｄの外形の一部に沿うように、略「く」字状に形成されている。
【００２６】
ガイド部３５ｅ及び３５ｆは、第１のカートリッジ５をケース１に収納させる際に、使用者に対して第１のカートリッジ５の収納方向と収納位置とを案内するマークである。また、ガイド部３５ｅ及び３５ｆは、収納部３１の底面に着色されて形成されていてもよいし、収納部３１の底面に対して凹状または凸状に形成されていてもよい。また、ガイド部３５ｅ及び３５ｆは、第１のカートリッジ５の第４の側面５３ｄの一部に沿うように、直線状に形成されている。
【００２７】
傾斜部３６ａは、位置決め部３３ａと位置決め部３４ａとの間に、連続的に形成されている。また、傾斜部３６ｂは、位置決め部３３ｂと位置決め部３４ｂとの間に、連続的に形成されている。傾斜部３６ａ及び３６ｂは、第２のカートリッジ６の側面に形成されている湾曲部６３ａ及び６３ｂを支持する部分であり、湾曲部６３ａ及び６３ｂに沿って湾曲させて形成してもよい。なお、傾斜部３６ａ及び３６ｂは、位置決め部３３ａ、３３ｂ、３４ａ、３４ｂに対して、必ずしも連続的に形成する必要はなく、独立して形成されていてもよい。
【００２８】
支持部３７ａ及び３７ｂは、本体３における係合部３２ｃ及び３２ｄの近傍に立設され、第１のカートリッジ５がケース１に収納される際に、第１のカートリッジ５の角部５４ａ及び５４ｂを支持する部分であり、支持部３７ａ及び３７ｂは、第１のカートリッジ５の第４の側面５３ｄの両角部５４ａ及び５４ｂに沿うように、屈曲した形状になっている。なお、支持部３７ａ及び３７ｂの形状は、この形状に限定されない。
【００２９】
突起部３８ａ及び３８ｂは、本体３における係合部３２ｃ及び３２ｄの近傍で、かつ位置決め部３４ａ及び３４ｂの略延長線上に立設され、互いに向き合う方向に略Ｖ字に突出して形成されている。突起部３８ａ及び３８ｂは、第１のカートリッジ５が収納部３１に収納される際に、第１のカートリッジ５における第１の側面５３ａ及び第２の側面５３ｂそれぞれに当接あるいは近接し、第１のカートリッジ５を位置決め可能な位置に形成されている。また、突起部３８ａ及び３８ｂは、第２のカートリッジ６が収納部３１に収納される際に、第２のカートリッジ６に形成されている凹部６５ａ及び６５ｂ（図７及び図８参照）に嵌合される位置に形成されている。また、突起部３８ａ及び３８ｂにおけるＶ字突出部の先端間の距離は、第１のカートリッジ５の幅寸法ＬR1（図５参照）よりも僅かに大きく、かつ第２のカートリッジ６の幅寸法ＬB1（図８参照）よりも小さい。なお、突起部３８ａ及び３８ｂの先端形状は、略Ｖ字形状に限らず、例えば凸形状等少なくとも第２のカートリッジ６の凹部６５ａ及び６５ｂに嵌合可能な形状であればよ、第１のカートリッジ５の第１の側面５３ａ及び第２の側面５３ｂに当接あるいは近接する部位を有する形状が好ましい。  ヒンジ部４は、本体２と蓋体３とを互いに開閉自在になるように連結させているものであり、開閉させやすいように薄肉部が形成されている。また、ヒンジ部４は、ケース１が閉蓋状態の時に、側壁２１とともにケース１の周囲を覆い、埃等の異物がケース１内に侵入するのを防いでいる。すなわち、図１に示すように、側壁２１は主面２２の三辺のみに沿って形成され、ヒンジ部４に最も近い部分には側壁が形成されていない。なぜなら、ケース１が閉塞状態の時、側壁が形成されていない部分をヒンジ部４で覆うことができるからである。
【００３０】
図３において、本体３における位置決め部３４ａ及び３４ｂ間の距離をＬC1、位置決め部３３ａ及び３３ｂ間の距離をＬC2、係合部３２ａ及び３２ｂ間の距離をＬC3、支持部３７ｂの係合部３２ｄ側における端部（ガイド部３５ｆと実質同等）と係合部３２ｂとの間の距離をＬC4、係合部３２ｃと係合部３２ｄとの間の距離をＬC5で示している。なお、係合部３２ａと支持部３７ａの係合部３２ｃ側における端部（ガイド部３５ｅと実質同等）との間の距離もＬC4である。距離ＬC1は第２のカートリッジ６の幅寸法に合わせて設定され、距離ＬC2は第１のカートリッジ５の幅寸法に合わせて設定され、距離ＬC3は第１のカートリッジ５のシャッター５２の幅寸法に合わせて設定されているため、
ＬC3＜ＬC2＜ＬC1
の関係にある。また、距離ＬC4は第１のカートリッジ５の縦方向の長さ寸法に合わせて設定されているとともに、第１のカートリッジ５の長さ寸法ＬR3は幅寸法ＬR1よりも大きいため、距離ＬC4とＬC2は
ＬC4＜ＬC2
の関係にある。また、距離ＬC5は、第１のカートリッジ５またはホルダー７を保持可能なように、
ＬC5＜ＬC2
の関係にある。
【００３１】
〔２．第１のカートリッジ５の構成〕
図４及び図５に示すように、第１のカートリッジ５は、例えばＤＶＤ−ＲＡＭ規格に準拠した略矩形状のカートリッジで構成され、ケース５１内部に直径１２ｃｍのディスク５９を収納することができる。ケース５１には、光ピックアップなどの情報読み取り／書き込み装置が、ディスク５９の記録面へアクセス可能なように、開口部５６がシャッター摺動面５１ａに形成されている。
【００３２】
シャッター５２は、シャッター摺動面５１ａ上で矢印Ｃ及びその逆方向へスライド可能に配され、開口部５６を開閉させることができる。なお、シャッター摺動面５１ａはケース５１からシャッター５２の厚み分程度陥没し、ケース５１の面とシャッター５２の面とが面一に構成されている。また、格別の断りがない限り、シャッター５２のシャッター摺動面５１ａ上における摺動方向（矢印Ｃまたはその逆方向）を幅または幅方向と称す。図４及び図５は、シャッター５２で開口部５６を覆っている状態を示しており、この状態からシャッター５２を矢印Ｃ方向へスライドさせることで、ディスク５９の記録面を露出させることができる。また、シャッター５２は、コイルバネなどの弾性部材によって、常時、開口部５６を閉じる状態へ復帰可能なように付勢されている。
【００３３】
第１の側面５３ａ、第２の側面５３ｂは、第１のカートリッジ５を本体３に収納した際に、それぞれ本体３における位置決め部３３ａ及び３３ｂに対して当接または近接する部位である。
【００３４】
第３の側面５３ｃは、シャッター摺動面５１ａの主平面（開口部５６が形成されている面）に略直交して隣接する面である。第３の側面５３ｃは、第１のカートリッジ５を本体３に収納した際に、本体３に形成されている係合部３２ａ及び３２ｂによって支持される。
【００３５】
第４の側面５３ｄは、ケース５１の主平面に略直交して隣接し、第３の側面５３ｃに対向する面である。第４の側面５３ｄは、第１のカートリッジ５を本体３に収納させた際に、ガイド部３５ｅ及び３５ｆに沿って位置する。
【００３６】
角部５４ａ及び５４ｂは、ケース５１における第４の側面５４ｄ側の両端角部である。本実施の形態では、角部５４ａ及び５４ｂは、湾曲面になっている。角部５４ａ及び５４ｂは、支持部３７ａ及び３７ｂに支持される。
【００３７】
図５において、第１のカートリッジ５の幅寸法をＬR1、シャッター５２の幅寸法をＬR2、第１のカートリッジ５の長さ寸法をＬR3で示している。なお、ＬR1とＬR3は、
ＬR1＜ＬR3
の関係にある。また、第１のカートリッジ５を本体３に収納可能にするため、
ＬR3＜ＬC4、
ＬR1＜ＬC2
の関係が成り立つように係合部３２ａ及び３２ｂ、支持部３７ａ及び３７ｂを配置させている。
【００３８】
〔３．第２のカートリッジ６の構成〕
次に、図７及び図８に示すように、第２のカートリッジ６は、例えばブルーレイディスク規格に準拠した略四辺形状のカートリッジであり、少なくとも第１のカートリッジ５よりも幅方向寸法が大きく、第１のカートリッジ５とは形状が異なる。すなわち、第１のカートリッジ５の幅方向寸法ＬR1と、第２のカートリッジ６の幅方向寸法ＬB1とは、
ＬR1＜ＬB1
の関係である。ケース６１内部には、直径１２ｃｍのディスク６９を収納することができる。ケース６１の主面上には、図７に示すように略楕円形の開口部６４が形成されており、開口部６４を通してディスク６９が露出している。図示しないが、ケース６１の裏面には、光ピックアップなどの情報読み取り／書き込み装置がディスク６９の記録面へアクセス可能なように、開口部が形成されている。また、その開口部を開閉可能なようにシャッター（不図示）が配されている。
【００３９】
ディスク６９は、片面（図７における裏面側）のみが記録面であり、開口部６４において露出している部分は記録面ではない。したがって、ケース６１におけるディスク６９の裏面側には、ディスク６９の記録面を露出可能なように、開閉自在なシャッター（不図示）が配されている。
【００４０】
第２のカートリッジ６に収納したディスク６９に記録再生する際には、ケース６１の裏面に備えるシャッターを開放状態にし、開口部からスピンドルモータが備えるターンテーブルを中心孔６９ａに係合させ、開口部６４側からクランパでディスク６９を挟持することでディスク６９を回転し、ケース６１の裏面側から光ピックアップで情報信号の授受をすることができる。
【００４１】
第１の側面６２ａ、第２の側面６２ｂは、第２のカートリッジ６をケース１に収納した際に、それぞれ位置決め部３４ａ及び３４ｂ（図１参照）に対して当接または近接する部分である。
【００４２】
第３の側面６２ｃは、第１の側面６２ａ及び第２の側面６２ｂに隣接し、連続的に形成されている面であり、凸形状（略円弧状）に突出して形成されている。第３の側面６２ｃは、第２のカートリッジ６をケース１に収納した際に、本体３に形成されている間隙を介して並んで配置されている係合部３２ａ及び３２ｂの当該間隙側の端辺によって支持される部分である。
【００４３】
第４の側面６２ｄ、第５の側面６２ｅは、第３の側面６２ｃに対向する側面である。また、第５の側面６２ｅは、第２のカートリッジ６を本体３に収納させた際に、本体３に形成されているガイド部３５ｃ及び３５ｄに、位置が略一致する。
【００４４】
湾曲部６３ａ及び６３ｂは、第２のカートリッジ６をケース１に収納させた際に、それぞれ本体３に形成されている傾斜部３６ａ及び３６ｂに当接及び位置決めされる部分である。
【００４５】
凹部６５ａ及び６５ｂは、第１の側面６２ａ及び第２の側面６２ｂ上に形成されている。凹部６５ａ及び６５ｂは、第２のカートリッジ６がディスクドライブに装填された際に、ディスクドライブ内において第２のカートリッジ６を保持するために、ディスクドライブに設けられている突起が嵌合される部分である。本実施の形態では、第２のカートリッジ６をケース１に収納させた際に、凹部６５ａ及び６５ｂに突起部３８ａ及び３８ｂが嵌合されることで、第２のカートリッジ６をケース１に位置決めし保持することができる。
【００４６】
図８において、第２のカートリッジ６の幅寸法をＬB1、長さ寸法をＬB2で示している。ＬB1とＬB2はほぼ同寸である。また、第２のカートリッジ６を本体３に収納可能にするため、
ＬB2＜ＬC4、
ＬB1＜ＬC1
の関係が成り立つように係合部３２ａ〜３２ｄを配置させている。
【００４７】
なお、上述の説明では第２のカートリッジ６には開口部６４がケース６１に穿たれた構成であるが、クランパを内蔵することで開口部６４を備えていない第２のカートリッジであっても適用することができる。
【００４８】
〔４．ホルダー７の構成〕
図１０及び図１１に示すように、ホルダー７は、前述の第１のカートリッジ５及び第２のカートリッジ６の何れにも収納されていないベアディスクを保持させることができる。また、ホルダー７は、ベアディスクを着脱可能な状態で、ケース１の本体３に保持される。これにより、ベアディスクをケース１に収納させることができる。なお、ホルダー７で保持可能なベアディスクは、図示のような直径１２ｃｍのディスクの他、直径８ｃｍの小径ディスクを保持することもできる。
【００４９】
ホルダー７は、ホルダー本体７１、嵌合部７２、凹部７３、第１の側面７４ａ、第２の側面７４ｂ、第１の支持部７５、第２の支持部７６を備えている。
【００５０】
嵌合部７２は、ベアディスクの中心孔に遊嵌保持されることで、ベアディスクを保持することができる。また、嵌合部７２は、ベアディスクを嵌合しやすくかつ容易に離脱しないように、弾性変形可能に構成されている。
【００５１】
凹部７３は、嵌合部７２に保持されたベアディスクが配置される部分である。
【００５２】
第１の側面７４ａ、第２の側面７４ｂは、図１２に示すようにホルダー７を本体３に収納させた際に、本体３の第１の側面３３ａ及び第２の側面３３ｂに対して当接あるいは近接する部分である。
【００５３】
第１の支持部７５は、ホルダー７の主面上の端部７５ａに形成され、少なくともその上面はホルダー７に保持されたベアディスクの上面よりも高くなるように形成されている。ホルダー７を本体３に収納した際に、端部７５ａが係合部３２ａ及び３２ｂに当接し、爪部３２ｅ及び３２ｆが第１の支持部７５の上面に位置することで、ホルダー７が本体３に係合される。
【００５４】
第２の支持部７６は、ホルダー７の主面上において、第１の支持部７５に凹部７３を介して対向する端部に突設されている。また、第２の支持部７６の上面の高さは、第１の支持部７５の上面の高さとほぼ同じである。また、第２の支持部７６は、ホルダー７を本体３に収納させた際に、係合部３２ｃ及び３２ｄに当接して係合される。
【００５５】
図１１において、ホルダー７の幅寸法をＬH1、ホルダー７の長さ寸法をＬH2で示している。ＬH1とＬH2は、
ＬH1＜ＬH2
の関係にある。また、ホルダー７を本体３に収納可能にするため、
ＬH1＜ＬC2、
ＬH2＜ＬC4
の関係が成り立つように、係合部３２ａ〜３２ｄを配置させている。
【００５６】
〔５．ケース１への収納方法〕
まず、第１のカートリッジ５の収納方法について説明する。
【００５７】
図６に示すように、第１のカートリッジ５をケース１の本体３に収納させる際は、まず第１のカートリッジ５の第３の側面５３ｃ（図５参照）を係合部３２ａ及び３２ｂに当接し係合させ、次に第１のカートリッジ５の角部５４ａ及び５４ｂを支持部３７ａ及び３７ｂに嵌合させる。
【００５８】
この時、第１のカートリッジ５は、ガイド部３５ｅ及び３５ｆに第４の側面５３ｄが沿うように配置される。また、係合部３２ａ及び３２ｂの間隔（図３の寸法ＬC3）は、シャッター５２の幅寸法ＬR2よりも大きくなるように係合部３２ａ及び３２ｂが配置されているため、係合部３２ａ及び３２ｂはシャッター５２に当接していない。また、突起部３８ａ及び３８ｂは、第１のカートリッジ５の側面に当接あるいは近接している。
【００５９】
これにより、第１のカートリッジ５は、本体３の収納部３１において、矢印Ｙ方向の位置が規制される。すなわち、係合部３２ａと支持部３７ａとの間の距離ＬC4（係合部３２ｂと支持部３７ｂとの間の距離も同様）が、第１のカートリッジ５の縦方向の幅寸法ＬR3（図５参照）に対して、同等もしくは僅かに長くなるように、係合部３２ａ及び３２ｂ、支持部３７ａ及び３７ｂを配置しているため、第１のカートリッジ５を遊嵌保持しながら、第１のカートリッジ５の矢印Ｙ方向の位置規制を行うことができる。
【００６０】
また、係合部３２ａ、３２ｂの先端には、水平方向へ突出した爪部３２ｅ、３２ｆ（図１参照）が形成され、その爪部３２ｅ、３２ｆが第１のカートリッジ５の上部に位置するため、第１のカートリッジ５は厚み方向の位置が規制される。
【００６１】
また、第１のカートリッジ５の第１の側面５３ａ及び第２の側面５３ｂが、本体３の位置決め部３３ａ及び３３ｂに当接可能な位置にあるため、第１のカートリッジ５は矢印Ｘ方向の位置が規制される。すなわち、位置決め部３３ａ及び３３ｂ間の距離ＬC2（図３参照）は、第１のカートリッジ５の幅寸法ＬR1（図５参照）に対して、ほぼ同寸か僅かに長くなるように位置決め部３３ａ及び３３ｂが形成されているため、第１のカートリッジ５の矢印Ｘ方向の位置規制を行うことができる。
【００６２】
これにより、第１のカートリッジ５は、ケース１の本体３内において位置規制されて保持される。
【００６３】
なお、第１のカートリッジ５をケース１に収納させる際は、第３の側面５３ｃ側を係合部３２ａ及び３２ｂに係合させる。次に、角部５４ａ及び５４ｂを支持部３７ａ及び３７ｂに嵌合させる。これにより、第１のカートリッジ５を本体３に保持させることができる。なお、本体３に第１のカートリッジ５を支持させる順番は、上記の逆順でもよい。また、係合部３２ａ及び３２ｂは、弾性変形可能に構成されているため、第１のカートリッジ５を係合部３２ａ及び３２ｂに係合させる際、角部５４ａ及び５４ｂを支持部３７ａ及び３７ｂに嵌合させてから、第１のカートリッジ５の先端で係合部３２ａ及び３２ｂを押圧して弾性変形させて第１のカートリッジ５の先端を係合部３２ａ及び３２ｂに係合させることで、容易に第１のカートリッジ５を本体３に保持させることもできる。
【００６４】
また、第１のカートリッジ５をケース１に収納させた際、第３の側面５３ｃ近傍が、必ずしも係合部３２ａ及び３２ｂの爪部３２ｅ及び３２ｆに係合されている必要はなく、少なくとも第３の側面５３ｃが係合部３２ａ及び３２ｂに当接していればよい。
【００６５】
次に、第２のカートリッジ６の収納方法について説明する。
【００６６】
図９に示すように、第２のカートリッジ６をケース１の本体３に収納する際は、使用者は、第２のカートリッジ６の第３の側面６２ｃ（図８参照）を、本体３の収納部３１に形成されているガイド部３５ａ及び３５ｂに位置合わせし、第４の側面６２ｄ（図８参照）をガイド部３５ｃ及び３５ｄに位置合わせする。これにより、第２のカートリッジ６の配置方向が決まる。
【００６７】
第２のカートリッジ６をガイド部３５ａ〜３５ｄに位置合わせすると、第２のカートリッジ６の湾曲部６３ａが本体３の傾斜部３６ａに当接あるいは近接し、湾曲部６３ｂが傾斜部３６ｂに当接あるいは近接する。湾曲部６３ａ及び６３ｂと傾斜部３６ａ及び３６ｂとは、それぞれ相似形状になっているため、互いに支持することができる。また、間隙を介して配置した係合部３２ａ及び３２ｂの当該間隙側におけるそれぞれの端辺が、第２のカートリッジ６の第３の側面６２ｃに当接する。また、突起部３８ａが第２のカートリッジ６に形成されている凹部６５ａに嵌合し、突起部３８ｂが凹部６５ｂに嵌合する。これにより、第２のカートリッジ６の矢印Ｙ方向（図７参照）への位置を規制することができる。
【００６８】
また、第２のカートリッジ６を本体３の収納部３１に収納させると、爪部３２ｅ及び３２ｆの一部が第２のカートリッジ６におけるケース６１の上面に位置することで、第２のカートリッジ６の厚さ方向（図７中の紙面方向）の位置が規制される。
【００６９】
また、第２のカートリッジ６の第１の側面６２ａ（図８参照）は、本体３の位置決め部３４ａに当接し、第２の側面６２ｂ（図８参照）は位置決め部３４ｂに当接されるため、第２のカートリッジ６の矢印Ｘ方向への位置を規制することができる。すなわち、位置決め部３３ａ及び３３ｂ間の距離ＬC2（図３参照）は、第２のカートリッジ６の幅寸法ＬB1（図８参照）に対して、ほぼ同寸か僅かに長くなるように位置決め部３３ａ及び３３ｂが形成されているため、第２のカートリッジ６の矢印Ｘ方向の位置規制を行うことができる。
【００７０】
これにより、第２のカートリッジ６は、ケース１の本体３内において位置規制されて保持される。
【００７１】
次に、ベアディスクの収納方法について説明する。
【００７２】
ベアディスクは、ホルダー７に保持されて、ケース１内に収納される。したがって、ケース１をベアディスクの収納用に使用する場合は、予めケース１にホルダー７を保持させておく必要がある。
【００７３】
図１３は、本体３及びホルダー７を模式的に示した図であり、本体３の側方からのアングルで描画している。図１３（ａ）に示すように、ホルダー７をケース１に収納する際は、ホルダー７を矢印Ｄ方向へ移動させて、第１の支持部７５を係合部３２ａ及び３２ｂ（図示は係合部３２ａのみ）に係合させる。次に、ホルダー７を矢印Ｅ方向へ移動させて、図１３（ｂ）に示すように、第２の支持部７６を係合部３２ｃ及び３２ｄに係合させる。これにより、ホルダー７を本体３に保持させることができる。ホルダー７を本体３に保持させた状態を図１２に示す。
【００７４】
図１２に示すように、ケース１にホルダー７を収納させると、係合部３２ａ及び３２ｂが、ホルダー７の第１の支持部７５に係合されるとともに、係合部３２ｃ及び３２ｄが、ホルダー７の第２の支持部７６に係合される。これにより、ホルダー７は、本体３の収納部３１において、矢印Ｙ方向の位置が規制される。すなわち、係合部３２ａと係合部３２ｃ（係合部３２ｂと係合部３２ｄも同様）との間の距離は、ホルダー７の長さ寸法ＬH2（図１１参照）に対して、ほぼ同じもしくは僅かに長くなる位置に係合部３２ａ〜３２ｄが形成されているため、ホルダー７の矢印Ｙ方向の位置を規制することができる。
【００７５】
また、係合部３２ａ及び３２ｂが第１の支持部７５に係合され、係合部３２ｃ及び３２ｄが第２の支持部７６に係合されることにより、爪部３２ｅ〜３２ｈによって、ホルダー７の厚さ方向の位置を規制することができる。
【００７６】
また、ホルダー７を本体３の収納部３１に収納させると、ホルダー７の第１の側面７４ａ（図１１参照）が位置決め部３４ａに当接可能な位置に配され、第２の側面７４ｂ（図１１参照）が位置決め部３４ｂに当接可能な位置に配されることにより、ホルダー７の矢印Ｘ方向への位置を規制することができる。すなわち、位置決め部３３ａ及び３３ｂ間の距離ＬC2（図３参照）は、ホルダー７の幅寸法ＬH1（図１１参照）に対してほぼ同じかもしくは僅かに長くなるように、位置決め部３３ａ及び３３ｂが配置されているため、ホルダー７の矢印Ｘ方向の位置規制を行うことができる。
【００７７】
これにより、ホルダー７をケース１に保持させることができる。
【００７８】
ホルダー７が保持されたケース１にベアディスクを収納させる際は、ベアディスクの中心孔をホルダー７の嵌合部７２に嵌合させる。すなわち、嵌合部７２は、弾性変形可能に構成されており、弾性変形させていない時の外径はベアディスクの中心孔の内径よりも大きく形成されている。ベアディスクを嵌合部７２に保持させる際、嵌合部７２を上方向から押圧して弾性変形させることで、嵌合部７２の外径をベアディスクの中心孔の内径よりも小さくすることができる。この状態で嵌合部７２をベアディスクの中心孔に嵌合させ、次に嵌合部７２を弾性復帰させることで、ベアディスクを嵌合部７２に遊嵌保持させることができる。
【００７９】
なお、本実施の形態では、ホルダー７を本体３へ係合させる順番は、第１の支持部７５を係合部３２ａ及び３２ｂに係合させてから、第２の支持部７６を係合部３２ａ及び３２ｂに係合させる構成としたが、上記の逆順でもよい。
【００８０】
〔６．実施形態の効果、他〕
以上のように本実施の形態によれば、例えばＤＶＤ−ＲＡＭ規格に準拠した第１のカートリッジ５と、例えばブルーレイディスク規格に準拠した第２のカートリッジ６と、ベアディスクを保持可能なホルダー７とを、選択的に収納保持させることができる。すなわち、上記各ディスク状媒体のケースを共用することができる。よって、ディスク状媒体の種類毎にケースの仕様を変える必要がないので、材料コストや製造コストなどを削減することができる。なお、本発明のケース１をカートリッジ収納専用として用いる場合には必ずしもホルダー７を必要としないため、ホルダー７はオプションとして別売とすることも可能で、ホルダー７の材料コスト及び製造コストを低減することができ、より安価に提供することができる。すなわち、第１のカートリッジ５または第２のカートリッジ６を販売する際には例えば図６または図９の形状で提供し、ベアディスク収納専用としては図１２に示すようにホルダー７を装填した形態で提供でき、使用者は必要に応じてホルダー７を購入すれば、カートリッジタイプにでもベアディスクタイプにでも対応できるカー巣を提供できる。
【００８１】
また、係合部３２ａ及び３２ｂの間隔ＬC3を、第１のカートリッジ５のシャッター５２の幅ＬR2よりも大きくしたことにより、係合部３２ａ及び３２ｂの係合力によってシャッターが破損することを防ぐことができる。なお、係合部３２ａ及び３２ｂの間隔ＬC3は、大きくしすぎると第２のカートリッジ６の第３の側面６２ｃ側を保持することができなくなるため、少なくとも第２のカートリッジ６の第３の側面６２ｃ側を保持することが可能な寸法に設定されている。
【００８２】
また、ガイド部３５ａ〜３５ｄを設けたことにより、ケース１に第２のカートリッジ６を収納させる際、使用者に第２のカートリッジ６の収納位置を確実に知らしめることができる。
【００８３】
なお、本実施の形態は、図３に示す構成に限らず、図１４に示すように構成してもよい。図１４は、係合部３２ａ〜３２ｄ、位置決め部３３ａ及び３３ｂ、位置決め部３４ａ〜３４ｄなどの配置の変形例である。本体３において、ヒンジ部４に最も近い端辺部を左辺、左辺に対向する端辺を右辺、左辺及び右辺に対向する端辺を上辺、上辺に対向する端辺を下辺と定義した時、係合部３２ａ及び３２ｂとガイド部３５ａ及び３５ｂを、本体３における左辺近傍に配置した。また、係合部３２ｃ及び３２ｄとガイド部３５ｃ及び３５ｄを、本体３における右辺近傍に配置した。また、位置決め部３３ａ及び３４ａを、本体３における下辺近傍に配置した。また、位置決め部３３ｂ及び３４ｂを、本体３における上辺近傍に配置した。すなわち、図１４に示す構成は、図３における係合爪や位置決め部などの配置を、反時計方向に９０度回転させて配置した構成である。
【００８４】
したがって、図１４に示すケースにカートリッジやホルダーを収納させる際、その収納方向は、図６、図９、図１２に示す収納方向に対して、反時計方向に９０度回転させた状態で収納される。
【００８５】
また、本実施の形態のケース１は、例えばプラスチックなどの樹脂材料で一体成型されているが、蓋体２、本体３をそれぞれ独立して成型してから、両者を連結させる構成でもよい。
【００８６】
また、ケース１の材料は樹脂に限らず、金属など他の材料で構成されていてもよい。
【００８７】
また、本実施の形態では、蓋体２と本体３とを一体的に形成しているが、各々独立して別体構成としてもよい。その場合は、蓋体２における側壁２１を、外周の四辺に沿って形成することで、ケース１内に埃などの異物が侵入するのを防ぐことができる。
【産業上の利用可能性】
【００８８】
本発明は、各種ベアディスクや、ディスクが収納されているカートリッジを収納可能なケースに有用である。
【図面の簡単な説明】
【００８９】
【図１】本発明の実施の形態１におけるケースの開蓋状態を示す斜視図
【図２】ケースの閉蓋状態を示す斜視図
【図３】ケースの開蓋状態を示す平面図
【図４】第１のカートリッジの構成を示す斜視図
【図５】第１のカートリッジの構成を示す平面図
【図６】第１のカートリッジをケースに収納させた状態を示す斜視図
【図７】第２のカートリッジの構成を示す斜視図
【図８】第２のカートリッジの構成を示す平面図
【図９】第２のカートリッジをケースに収納させた状態を示す斜視図
【図１０】ホルダーの構成を示す斜視図
【図１１】ホルダーの構成を示す平面図
【図１２】ホルダーをケースに収納させた状態を示す斜視図
【図１３】第１のカートリッジの収納動作を説明するための模式図
【図１４】実施の形態１におけるケースの他の例を示す平面図
【符号の説明】
【００９０】
１  ケース
２  蓋体
３  本体
４  ヒンジ部
５  第１のカートリッジ（ＤＶＤ−ＲＡＭカートリッジ）
６  第２のカートリッジ（ＢＤカートリッジ）
７  ホルダー
【図１】
2008037454.tif 000003
【図２】
2008037454.tif 000004
【図３】
2008037454.tif 000005
【図４】
2008037454.tif 000006
【図５】
2008037454.tif 000007
【図６】
2008037454.tif 000008
【図７】
2008037454.tif 000009
【図８】
2008037454.tif 000010
【図９】
2008037454.tif 000011
【図１０】
2008037454.tif 000012
【図１１】
2008037454.tif 000013
【図１２】
2008037454.tif 000014
【図１３】
2008037454.tif 000015
【図１４】
2008037454.tif 000016